(57)【要約】【課題】無線基地局に接続されているリレーノード配下のセルから当該無線基地局に接続されている別のリレーノード配下のセルに対する移動局のハンドオーバを可能とする。【解決手段】本発明に係る移動通信システムは、無線基地局ＤｅＮＢ＃１とリレーノードＲＮ＃１との間で、Ｓ１インターフェイスＡが終端されており、かつ、無線基地局ＤｅＮＢ＃１とリレーノードＲＮ＃２との間で、Ｓ１インターフェイスＢが終端されており、無線基地局ＤｅＮＢ＃１は、移動局ＵＥのリレーノードＲＮ＃１配下の第１セルからリレーノードＲＮ＃２配下の第２セルへのハンドオーバ手順に係るハンドオーバ制御信号を、交換局ＭＭＥに送信することなく、リレーノードＲＮ＃２に対して、Ｓ１インターフェイスＢを介して送信するように構成されている。【選択図】図４
2011120179.tif 000002
【特許請求の範囲】
【請求項１】
無線基地局と、該無線基地局に接続されている第１リレーノード及び第２リレーノードとを具備する移動通信システムであって、
前記無線基地局と前記第１リレーノードとの間で、第１インターフェイスが終端されており、かつ、前記無線基地局と前記第２リレーノードとの間で、第２インターフェイスが終端されており、
前記第１リレーノードは、移動局の該第１リレーノード配下の第１セルから前記第２リレーノード配下の第２セルへのハンドオーバ手順に係るハンドオーバ制御信号を、前記無線基地局に対して、前記第１インターフェイスを介して送信するように構成されており、
前記無線基地局は、前記ハンドオーバ手順に係るハンドオーバ制御信号を、交換局に送信することなく、前記第２リレーノードに対して、前記第２インターフェイスを介して送信するように構成されていることを特徴とする移動通信システム。
【請求項２】
前記第１インターフェイス及び前記第２インターフェイスは、Ｓ１インターフェイスであることを特徴とする請求項１に記載の移動通信システム。
【請求項３】
第１リレーノード及び第２リレーノードに接続されている無線基地局であって、
前記第１リレーノードとの間で、第１インターフェイスを終端するように構成されており、かつ、前記第２リレーノードとの間で、第２インターフェイスを終端するように構成されており、
移動局の前記該第１リレーノード配下の第１セルから前記第２リレーノード配下の第２セルへのハンドオーバ手順に係るハンドオーバ制御信号を、交換局に送信することなく、前記第２リレーノードに対して、前記第２インターフェイスを介して送信するように構成されていることを特徴とする無線基地局。
【請求項４】
前記第１インターフェイス及び前記第２インターフェイスは、Ｓ１インターフェイスであることを特徴とする請求項３に記載の無線基地局。
【発明の詳細な説明】
【技術分野】
【０００１】
本発明は、移動通信システム及び無線基地局に関する。
【背景技術】
【０００２】
ＬＴＥ（Ｌｏｎｇ  Ｔｅｒｍ  Ｅｖｏｌｕｔｉｏｎ）方式の後継であるＬＴＥ-Ａｄｖａｎｃｅｄ方式の移動通信システムは、無線基地局ＤｅＮＢ（Ｄｏｎｅｒ-ｅＮＢ）と移動局ＵＥとの間に、リレーノードＲＮ（Ｒｅｌａｙ  Ｎｏｄｅ）を設けることができるように構成されている。
【先行技術文献】
【非特許文献】
【０００３】
【非特許文献１】３ＧＰＰ  ＴＲ３６.８０６（Ｖ０.１.１）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）；Ｒｅｌａｙ  ａｒｃｈｉｔｅｓｃｕｒｅｓ  ｆｏｒ  Ｅ−ＵＴＲＡ（ＬＴＥ−Ａｄｖａｎｃｅｄ）（Ｒｅｌｅａｓｅ  ９）」、２００９年１１月
【発明の概要】
【発明が解決しようとする課題】
【０００４】
しかしながら、かかる移動通信システムにおいて、無線基地局ＤｅＮＢに接続されているリレーノードＲＮ配下のセルから当該無線基地局ＤｅＮＢに接続されている別のリレーノードＲＮ配下のセルに対する移動局ＵＥのハンドオーバ手順を、どのように実現すべきかについて具体的に規定されていないという問題点があった。
【０００５】
そこで、本発明は、上述の課題に鑑みてなされたものであり、無線基地局に接続されているリレーノード配下のセルから当該無線基地局に接続されている別のリレーノード配下のセルに対する移動局のハンドオーバを可能とする移動通信システム及び無線基地局を提供することを目的とする。
【課題を解決するための手段】
【０００６】
本発明の第１の特徴は、無線基地局と、該無線基地局に接続されている第１リレーノード及び第２リレーノードとを具備する移動通信システムであって、前記無線基地局と前記第１リレーノードとの間で、第１インターフェイスが終端されており、かつ、前記無線基地局と前記第２リレーノードとの間で、第２インターフェイスが終端されており、前記第１リレーノードは、移動局の該第１リレーノード配下の第１セルから前記第２リレーノード配下の第２セルへのハンドオーバ手順に係るハンドオーバ制御信号を、前記無線基地局に対して、前記第１インターフェイスを介して送信するように構成されており、前記無線基地局は、前記ハンドオーバ手順に係るハンドオーバ制御信号を、交換局に送信することなく、前記第２リレーノードに対して、前記第２インターフェイスを介して送信するように構成されていることを要旨とする。
【０００７】
本発明の第２の特徴は、第１リレーノード及び第２リレーノードに接続されている無線基地局であって、前記第１リレーノードとの間で、第１インターフェイスを終端するように構成されており、かつ、前記第２リレーノードとの間で、第２インターフェイスを終端するように構成されており、移動局の前記該第１リレーノード配下の第１セルから前記第２リレーノード配下の第２セルへのハンドオーバ手順に係るハンドオーバ制御信号を、交換局に送信することなく、前記第２リレーノードに対して、前記第２インターフェイスを介して送信するように構成されていることを要旨とする。
【発明の効果】
【０００８】
以上説明したように、本発明によれば、無線基地局に接続されているリレーノード配下のセルから当該無線基地局に接続されている別のリレーノード配下のセルに対する移動局のハンドオーバを可能とする移動通信システム及び無線基地局を提供することができる。
【図面の簡単な説明】
【０００９】
【図１】本発明の第１の実施形態に係る移動通信システムの全体構成図である。
【図２】本発明の第１の実施形態に係る移動通信システムにおけるＣ-ｐｌａｎｅのプロトコルスタック図である。
【図３】本発明の第１の実施形態に係る移動通信システムにおけるＵ-ｐｌａｎｅのプロトコルスタック図である。
【図４】本発明の第１の実施形態に係る移動通信システムの動作を説明するシーケンス図である。
【発明を実施するための形態】
【００１０】
（本発明の第１の実施形態に係る移動通信システム）
図１乃至図４を参照して、本発明の第１の実施形態に係る移動通信システムについて説明する。
【００１１】
本実施形態に係る移動通信システムは、ＬＴＥ-Ａｄｖａｎｃｅｄ方式の移動通信システムであって、図１に示すように、交換局ＭＭＥと、複数の無線基地局ｅＮＢ/ＤｅＮＢ＃１/ＤｅＮＢ＃２と、複数のリレーノードＲＮ＃１/ＲＮ＃２/ＲＮ＃３/ＲＮ＃４と、移動局ＵＥとを具備している。
【００１２】
本実施形態では、無線基地局ＤｅＮＢ＃１に接続されているリレーノードＲＮ＃１配下のセルから無線基地局ＤｅＮＢ＃１に接続されている別のリレーノードＲＮ＃２配下のセルに対する移動局ＵＥのハンドオーバ手順を実現するための移動通信システムについて説明する。
【００１３】
図２に、本実施形態に係る移動通信システムにおけるＣ-ｐｌａｎｅのプロトコルスタックを示し、図３に、本実施形態に係る移動通信システムにおけるＵ-ｐｌａｎｅのプロトコルスタックを示す。
【００１４】
図２に示すように、移動局ＵＥは、Ｃ-ｐｌａｎｅのプロトコル機能として、物理（ＰＨＹ）レイヤ機能と、ＭＡＣ（Ｍｅｄｉａ  Ａｃｃｅｓｓ  Ｃｏｎｔｒｏｌ）レイヤ機能と、ＲＬＣ（Ｒａｄｉｏ  Ｌｉｎｋ  Ｃｏｎｔｒｏｌ）レイヤ機能と、ＰＤＣＰ（Ｐａｃｋｅｔ  Ｄａｔａ  Ｃｏｎｖｅｒｇｅｎｃｅ  Ｐｒｏｔｏｃｏｌ）レイヤ機能と、ＲＲＣ（Ｒａｄｉｏ  Ｒｅｓｏｕｒｃｅ  Ｃｏｎｔｒｏｌ）レイヤ機能とを具備している。
【００１５】
リレーノードＲＮは、Ｃ-ｐｌａｎｅのプロトコル機能として、移動局ＵＥ側に、物理（ＰＨＹ）レイヤ機能と、ＭＡＣレイヤ機能と、ＲＬＣレイヤ機能と、ＰＤＣＰレイヤ機能と、ＲＲＣレイヤ機能とを具備している。
【００１６】
また、リレーノードＲＮは、Ｃ-ｐｌａｎｅのプロトコル機能として、無線基地局ＤｅＮＢ側に、物理（ＰＨＹ）レイヤ機能と、ＭＡＣレイヤ機能と、ＲＬＣレイヤ機能と、ＰＤＣＰレイヤ機能と、ＩＰ（Ｉｎｔｅｒｎｅｔ  Ｐｒｏｔｏｃｏｌ）レイヤ機能と、ＳＣＴＰ（Ｓｔｒｅａｍ  Ｃｏｎｔｒｏｌ  Ｔｒａｎｓｍｉｓｓｉｏｎ  Ｐｒｏｔｏｃｏｌ）レイヤ機能と、Ｓ１ＡＰ（Ｓ１  Ａｐｐｌｉｃａｔｉｏｎ）レイヤ機能とを具備している。
【００１７】
無線基地局ＤｅＮＢは、Ｃ-ｐｌａｎｅのプロトコル機能として、リレーノードＲＮ側に、物理（ＰＨＹ）レイヤ機能と、ＭＡＣレイヤ機能と、ＲＬＣレイヤ機能と、ＰＤＣＰレイヤ機能と、ＩＰレイヤ機能と、ＳＣＴＰレイヤ機能と、Ｓ１ＡＰレイヤ機能とを具備している。
【００１８】
また、無線基地局ＤｅＮＢは、Ｃ-ｐｌａｎｅのプロトコル機能として、交換局ＭＭＥ（Ｍｏｂｉｌｉｔｙ  Ｍａｎａｇｅｍｅｎｔ  Ｅｎｔｉｔｙ）側に、ＮＷＬ１（Ｎｅｔｗｏｒｋ  Ｌａｙｅｒ  １）機能と、ＮＷＬ２（Ｎｅｔｗｏｒｋ  Ｌａｙｅｒ  ２）機能と、ＩＰレイヤ機能と、ＳＣＴＰレイヤ機能と、Ｓ１ＡＰレイヤ機能とを具備している。
【００１９】
交換局ＭＭＥは、Ｃ-ｐｌａｎｅのプロトコル機能として、ＮＷＬ１機能と、ＮＷＬ２機能と、ＩＰレイヤ機能と、ＳＣＴＰレイヤ機能と、Ｓ１ＡＰレイヤ機能とを具備している。
【００２０】
ここで、図２に示すように、リレーノードＲＮのＳ１ＡＰレイヤ機能と無線基地局ＤｅＮＢのＳ１ＡＰレイヤ機能との間で、Ｓ１インターフェイスが終端されており、無線基地局ＤｅＮＢのＳ１ＡＰレイヤ機能と交換局ＭＭＥのＳ１ＡＰレイヤ機能との間で、Ｓ１インターフェイスが終端されている。
【００２１】
また、図３に示すように、移動局ＵＥは、Ｕ-ｐｌａｎｅのプロトコル機能として、物理（ＰＨＹ）レイヤ機能と、ＭＡＣレイヤ機能と、ＲＬＣレイヤ機能と、ＰＤＣＰレイヤ機能と、ＲＲＣレイヤ機能とを具備している。
【００２２】
リレーノードＲＮは、Ｕ-ｐｌａｎｅのプロトコル機能として、移動局ＵＥ側に、物理（ＰＨＹ）レイヤ機能と、ＭＡＣレイヤ機能と、ＲＬＣレイヤ機能と、ＰＤＣＰレイヤ機能と、ＲＲＣレイヤ機能とを具備している。
【００２３】
また、リレーノードＲＮは、Ｕ-ｐｌａｎｅのプロトコル機能として、無線基地局ＤｅＮＢ側に、物理（ＰＨＹ）レイヤ機能と、ＭＡＣレイヤ機能と、ＲＬＣレイヤ機能と、ＰＤＣＰレイヤ機能と、ＩＰレイヤ機能と、ＵＤＰ（Ｕｓｅｒ  Ｄａｔａｇｒａｍ  Ｐｒｏｔｏｃｏｌ）レイヤ機能と、ＧＴＰ（ＧＰＲＳ  Ｔｕｎｎｅｌｉｎｇ  Ｐｒｏｔｏｃｏｌ）-Ｕレイヤ機能とを具備している。
【００２４】
無線基地局ＤｅＮＢは、Ｕ-ｐｌａｎｅのプロトコル機能として、リレーノードＲＮ側に、物理（ＰＨＹ）レイヤ機能と、ＭＡＣレイヤ機能と、ＲＬＣレイヤ機能と、ＰＤＣＰレイヤ機能と、ＩＰレイヤ機能と、ＵＤＰレイヤ機能と、ＧＴＰ-Ｕレイヤ機能とを具備している。
【００２５】
また、無線基地局ＤｅＮＢは、Ｕ-ｐｌａｎｅのプロトコル機能として、交換局ＭＭＥ側に、ＮＷＬ１機能と、ＮＷＬ２機能と、ＩＰレイヤ機能と、ＵＤＰレイヤ機能と、ＧＴＰ-Ｕレイヤ機能とを具備している。
【００２６】
交換局ＭＭＥは、Ｕ-ｐｌａｎｅのプロトコル機能として、ＮＷＬ１機能と、ＮＷＬ２機能と、ＩＰレイヤ機能と、ＵＤＰレイヤ機能と、ＧＴＰ-Ｕレイヤ機能とを具備している。
【００２７】
以下、図４を参照して、本発明の第１の実施形態に係る移動通信システムの動作について、具体的には、本発明の第１の実施形態に係る移動通信システムにおいて、移動局ＵＥがリレーノードＲＮ＃１配下のセル＃１からリレーノードＲＮ＃２配下のセル＃２にハンドオーバする場合の動作について説明する。
【００２８】
ここで、図１に示すように、リレーノードＲＮ＃１のＳ１ＡＰレイヤ機能と無線基地局ＤｅＮＢ＃１のＳ１ＡＰレイヤ機能との間で、Ｓ１インターフェイスＡが終端されており、リレーノードＲＮ＃１のＳ１ＡＰレイヤ機能と無線基地局ＤｅＮＢ＃１のＳ１ＡＰレイヤ機能との間で、Ｓ１インターフェイスＢが終端されている。
【００２９】
図４に示すように、ステップＳ１００１において、リレーノードＲＮ＃１は、セル＃１において接続中の移動局ＵＥに対して、「Ｍｅａｓｕｒｅｍｅｎｔ  Ｃｏｎｔｒｏｌ」を送信する。
【００３０】
ステップＳ１００２において、移動局ＵＥは、上述の「Ｍｅａｓｕｒｅｍｅｎｔ  Ｃｏｎｔｒｏｌ」に基づいて、所定タイミングで、リレーノードＲＮ＃１に対して、「Ｍｅａｓｕｒｅｍｅｎｔ  Ｒｅｐｏｒｔ」を送信する。
【００３１】
リレーノードＲＮ＃１は、ステップＳ１００３において、移動局ＵＥのセル＃１からセル＃２へのハンドオーバ手順を開始することを決定すると、ステップＳ１００４において、無線基地局ＤｅＮＢ＃１に対して、「（Ｓ１）ＨＯ  Ｒｅｑｕｉｒｅｄ」を送信する。
【００３２】
具体的には、かかる「（Ｓ１）ＨＯ  Ｒｅｑｕｉｒｅｄ」は、リレーノードＲＮ＃１のＳ１ＡＰレイヤ機能によって送信され、無線基地局ＤｅＮＢ＃１のＳ１ＡＰレイヤ機能において終端される。
【００３３】
ステップＳ１００５において、無線基地局ＤｅＮＢ＃１は、「（Ｓ１）ＨＯ  Ｒｅｑｕｅｓｔ」を、交換局ＭＭＥに送信することなく、リレーノードＲＮ＃２に送信する。
【００３４】
具体的には、かかる「（Ｓ１）ＨＯ  Ｒｅｑｕｅｓｔ」は、無線基地局ＤｅＮＢ＃１のＳ１ＡＰレイヤ機能によって送信され、リレーノードＲＮ＃２のＳ１ＡＰレイヤ機能において終端される。
【００３５】
ステップＳ１００６において、リレーノードＲＮ＃２は、無線基地局ＤｅＮＢ＃１に対して、「（Ｓ１）ＨＯ  Ｒｅｑｕｅｓｔ  ＡＣＫ」を送信する。
【００３６】
具体的には、かかる「（Ｓ１）ＨＯ  Ｒｅｑｕｅｓｔ  ＡＣＫ」は、リレーノードＲＮ＃２のＳ１ＡＰレイヤ機能によって送信され、無線基地局ＤｅＮＢ＃１のＳ１ＡＰレイヤ機能において終端される。
【００３７】
ステップＳ１００７において、無線基地局ＤｅＮＢ＃１は、リレーノードＲＮ＃１に対して、「（Ｓ１）ＨＯ  Ｃｏｍｍａｎｄ」を送信する。
【００３８】
具体的には、かかる「（Ｓ１）ＨＯ  Ｃｏｍｍａｎｄ」は、無線基地局ＤｅＮＢ＃１のＳ１ＡＰレイヤ機能によって送信され、リレーノードＲＮ＃１のＳ１ＡＰレイヤ機能において終端される。
【００３９】
リレーノードＲＮ＃１は、ステップＳ１００８において、移動局ＵＥに対して、「ＲＲＣ  Ｃｏｎｎｅｃｔｉｏｎ  Ｒｅｃｏｎｆｉｇｕｒａｔｉｏｎ」を送信し、ステップＳ１００９において、無線基地局ＤｅＮＢ＃１に対して、「（Ｓ１）ｅＮＢ  Ｓｔａｔｕｓ  Ｔｒａｎｓｆｅｒ」を送信する。
【００４０】
具体的には、かかる「（Ｓ１）ｅＮＢ  Ｓｔａｔｕｓ  Ｔｒａｎｓｆｅｒ」は、リレーノードＲＮ＃１のＳ１ＡＰレイヤ機能によって送信され、無線基地局ＤｅＮＢ＃１のＳ１ＡＰレイヤ機能において終端される。
【００４１】
ステップＳ１０１０において、無線基地局ＤｅＮＢ＃１は、リレーノードＲＮ＃２に対して、「（Ｓ１）ＭＭＥ  Ｓｔａｔｕｓ  Ｔｒａｎｓｆｅｒ」を送信する。
【００４２】
具体的には、かかる「（Ｓ１）ＭＭＥ  Ｓｔａｔｕｓ  Ｔｒａｎｓｆｅｒ」は、無線基地局ＤｅＮＢ＃１のＳ１ＡＰレイヤ機能によって送信され、リレーノードＲＮ＃２のＳ１ＡＰレイヤ機能において終端される。
【００４３】
ステップＳ１０１１において、移動局ＵＥは、セル＃１からのデタッチ処理を行い、セル＃２との間で同期処理を行う。
【００４４】
ステップＳ１０１２において、移動局ＵＥは、リレーノードＲＮ＃２に対して、「Ｒａｎｄｏｍ  Ａｃｃｅｓｓ  Ｐｒｅａｍｂｌｅ」を送信し、ステップＳ１０１３において、リレーノードＲＮ＃２は、移動局ＵＥに対して、上りリンクにおける無線リソースを割り当て、移動局ＵＥ用の「ＴＡ（Ｔｉｍｉｎｇ  Ａｄｊｕｓｔｍｅｎｔ）」を送信し、ステップＳ１０１３において、移動局ＵＥは、リレーノードＲＮ＃２に対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００４５】
ステップＳ１０１５において、リレーノードＲＮ＃２は、無線基地局ＤｅＮＢ＃１に対して、「（Ｓ１）Ｐａｔｈ  Ｓｗｉｔｃｈ  Ｒｅｑｕｅｓｔ」を送信する。
【００４６】
具体的には、かかる「（Ｓ１）Ｐａｔｈ  Ｓｗｉｔｃｈ  Ｒｅｑｕｅｓｔ」は、リレーノードＲＮ＃２のＳ１ＡＰレイヤ機能によって送信され、無線基地局ＤｅＮＢ＃１のＳ１ＡＰレイヤ機能において終端される。
【００４７】
ステップＳ１０１６において、無線基地局ＤｅＮＢ＃１は、リレーノードＲＮ＃１に対して、「Ｅｎｄ  Ｍａｒｋｅｒ」を送信し、ステップＳ１０１７において、リレーノードＲＮ＃１は、リレーノードＲＮ＃２に対して、「Ｅｎｄ  Ｍａｒｋｅｒ」を送信する。
【００４８】
ステップＳ１０１８において、無線基地局ＤｅＮＢ＃１は、リレーノードＲＮ＃２に対して、「（Ｓ１）Ｐａｔｈ  Ｓｗｉｔｃｈ  Ｒｅｑｕｅｓｔ  ＡＣＫ」を送信する。
【００４９】
具体的には、かかる「（Ｓ１）Ｐａｔｈ  Ｓｗｉｔｃｈ  Ｒｅｑｕｅｓｔ  ＡＣＫ」は、無線基地局ＤｅＮＢ＃１のＳ１ＡＰレイヤ機能によって送信され、リレーノードＲＮ＃２のＳ１ＡＰレイヤ機能において終端される。
【００５０】
ステップＳ１０１９において、リレーノードＲＮ＃２は、無線基地局ＤｅＮＢ＃１に対して、「（Ｓ１）ＨＯ  Ｎｏｔｉｆｙ」を送信する。
【００５１】
具体的には、かかる「（Ｓ１）ＨＯ  Ｎｏｔｉｆｙ」は、リレーノードＲＮ＃２のＳ１ＡＰレイヤ機能によって送信され、無線基地局ＤｅＮＢ＃１のＳ１ＡＰレイヤ機能において終端される。
【００５２】
ステップＳ１０２０において、無線基地局ＤｅＮＢ＃１は、リレーノードＲＮ＃１に対して、「（Ｓ１）ＵＥ  Ｃｏｎｔｅｘｔ  Ｒｅｌｅａｓｅ」を送信する。
【００５３】
具体的には、かかる「（Ｓ１）ＵＥ  Ｃｏｎｔｅｘｔ  Ｒｅｌｅａｓｅ」は、無線基地局ＤｅＮＢ＃１のＳ１ＡＰレイヤ機能によって送信され、リレーノードＲＮ＃１のＳ１ＡＰレイヤ機能において終端される。
【００５４】
上述のように、無線基地局ＤｅＮＢ＃１は、Ｓ１ハンドオーバ手順における交換局ＭＭＥの役割を果たすように構成されている。
【００５５】
具体的には、無線基地局ＤｅＮＢ＃１は、移動局ＵＥのリレーノードＲＮ＃１配下のセル＃１からリレーノードＲＮ＃２配下のセル＃２へのハンドオーバ手順に係るハンドオーバ制御信号、例えば、「（Ｓ１）ＨＯ  Ｒｅｑｕｅｓｔ」や「（Ｓ１）ＭＭＥ  Ｓｔａｔｕｓ  Ｔｒａｎｓｆｅｒ」や「（Ｓ１）Ｐａｔｈ  Ｓｗｉｔｃｈ  Ｒｅｑｕｅｓｔ  ＡＣＫ」等を、交換局ＭＭＥに送信することなく、リレーノードＲＮ＃２に送信するように構成されている。
【００５６】
一方、無線基地局ＤｅＮＢ＃１は、移動局ＵＥのリレーノードＲＮ＃１配下のセル＃１からリレーノードＲＮ＃２配下のセル＃２へのハンドオーバ手順に係るハンドオーバ制御信号、例えば、「（Ｓ１）ＨＯ  Ｃｏｍｍａｎｄ」や「（Ｓ１）ＵＥ  Ｃｏｎｔｅｘｔ  Ｒｅｌｅａｓｅ」等を、交換局ＭＭＥに送信することなく、リレーノードＲＮ＃１に送信するように構成されている。
【００５７】
本発明の第１の実施形態に係る移動通信システムによれば、無線基地局ＤｅＮＢ＃１が、Ｓ１ハンドオーバ手順における交換局ＭＭＥの役割を果たすことによって、リレーノードＲＮ＃１配下のセル＃１からリレーノードＲＮ＃２配下のセル＃２に対する移動局ＵＥのハンドオーバを実現することができる。
【００５８】
以上に述べた本実施形態の特徴は、以下のように表現されていてもよい。
【００５９】
本実施形態の第１の特徴は、無線基地局ＤｅＮＢ＃１と、無線基地局ＤｅＮＢに接続されているリレーノードＲＮ＃１（第１リレーノード）及びリレーノードＲＮ＃２（第２リレーノード）とを具備する移動通信システムであって、無線基地局ＤｅＮＢ＃１とリレーノードＲＮ＃１との間で、Ｓ１インターフェイスＡ（第１インターフェイス）が終端されており、かつ、無線基地局ＤｅＮＢ＃１とリレーノードＲＮ＃２との間で、Ｓ１インターフェイスＢ（第２インターフェイス）が終端されており、リレーノードＲＮ＃１は、移動局ＵＥのリレーノードＲＮ＃１配下の第１セルからリレーノードＲＮ＃２配下の第２セルへのハンドオーバ手順に係るハンドオーバ制御信号（例えば、「（Ｓ１）ＨＯ  Ｒｅｑｕｉｒｅｄ」）を、無線基地局ＤｅＮＢ＃１に対して、Ｓ１インターフェイスＡを介して送信するように構成されており、無線基地局ＤｅＮＢ＃１は、ハンドオーバ手順に係るハンドオーバ制御信号（例えば、「（Ｓ１）ＨＯ  Ｒｅｑｕｅｓｔ」）を、交換局ＭＭＥに送信することなく、リレーノードＲＮ＃２に対して、Ｓ１インターフェイスＢを介して送信するように構成されていることを要旨とする。
【００６０】
本実施形態の第２の特徴は、リレーノードＲＮ＃１及びリレーノードＲＮ＃２に接続されている無線基地局ＤｅＮＢ＃１であって、リレーノードＲＮ＃１との間で、Ｓ１インターフェイスＡを終端するように構成されており、かつ、リレーノードＲＮ＃２との間で、Ｓ１インターフェイスＢを終端するように構成されており、移動局ＵＥのリレーノードＲＮ＃１配下の第１セルからリレーノードＲＮ＃２配下の第２セルへのハンドオーバ手順に係るハンドオーバ制御信号（例えば、「（Ｓ１）ＨＯ  Ｒｅｑｕｅｓｔ」）を、交換局ＭＭＥに送信することなく、リレーノードＲＮ＃２に対して、Ｓ１インターフェイスＢを介して送信するように構成されていることを要旨とする。
【００６１】
なお、上述の交換局ＭＭＥやゲートウェイ装置Ｓ-ＧＷや無線基地局ＤｅＮＢやリレーノードＲＮや移動局ＵＥの動作は、ハードウェアによって実施されてもよいし、プロセッサによって実行されるソフトウェアモジュールによって実施されてもよいし、両者の組み合わせによって実施されてもよい。
【００６２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、交換局ＭＭＥやゲートウェイ装置Ｓ-ＧＷや無線基地局ＤｅＮＢやリレーノードＲＮや移動局ＵＥ内に設けられていてもよい。また、かかる記憶媒体及びプロセッサは、ディスクリートコンポーネントとして交換局ＭＭＥやゲートウェイ装置Ｓ-ＧＷや無線基地局ＤｅＮＢやリレーノードＲＮや移動局ＵＥ内に設けられていてもよい。
【００６４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００６５】
ＭＭＥ…交換局
Ｓ-ＧＷ…ゲートウェイ装置
ＤｅＮＢ…無線基地局
ＲＮ…リレーノード
ＵＥ…移動局
【図１】
2011120179.tif 000003
【図２】
2011120179.tif 000004
【図３】
2011120179.tif 000005
【図４】
2011120179.tif 000006